(57)【特許請求の範囲】
【請求項１】
磁気テープが巻装され、ドライブ装置に装填されたときに磁力によって吸着保持される金属製のリールプレートを備えた単一のリールを、収容エリア内に収容する略矩形箱状のケースと、
前記ケース内に設けられ、ドライブ装置に装填されないときに前記磁気テープの自由端部に取り付けられた金属製のリーダーピンを前記ケースに保持するための金属製の板バネと、
前記ケース内に設けられ、ドライブ装置に装填されないときに前記ケースに回転不能に設けられた制動ギアを前記リールの係合ギアへ噛合させるように付勢する金属製の圧縮コイルバネと、
前記ケース内における前記リールの収容エリア外に配置され、前記磁気テープ及び前記リールプレートを備えた前記リールと前記リーダーピンと前記板バネと前記圧縮コイルバネとを含んで前記ケース内に設けられた金属の総質量に対して、金属の質量の割合が１８％以上とされた金属含有ブロックと、
を有する磁気テープカートリッジ。
【請求項２】
前記ケースは、前記金属含有ブロックを位置決めして保持する保持部を有する請求項１に記載の磁気テープカートリッジ。
【請求項３】
前記ケース内における１つの角部に、外部と通信可能な通信部材が配置されており、
前記金属含有ブロックは、前記通信部材が配置された角部と対角となる角部に配置されている請求項１又は請求項２に記載の磁気テープカートリッジ。
【請求項４】
前記金属含有ブロックは、合金を含む金属ブロックとされている請求項１〜請求項３の何れか１項に記載の磁気テープカートリッジ。
【請求項５】
前記金属含有ブロックは、円柱状に形成されている請求項４に記載の磁気テープカートリッジ。
【請求項６】
前記金属含有ブロックは、金属微粒子を含有した樹脂ブロックとされている請求項１〜請求項３の何れか１項に記載の磁気テープカートリッジ。
【請求項７】
前記金属含有ブロックの金属は、鉄系金属、鉄コバルト合金、ステンレス又はニッケルとされている請求項１〜請求項６の何れか１項に記載の磁気テープカートリッジ。
【請求項８】
前記ケースに設けられている樹脂製の誤消去防止部材に、鉄系金属、鉄コバルト合金、ステンレス又はニッケルの金属微粒子が含有されている請求項１〜請求項７の何れか１項に記載の磁気テープカートリッジ。
【発明の詳細な説明】
【技術分野】
【０００１】
本発明は、単一のリールが収容された磁気テープカートリッジに関する。
【背景技術】
【０００２】
データ記録再生媒体としての磁気テープが巻装された単一のリールを収容した磁気テープカートリッジは、機密性の高いデータを取り扱うことが多い。そのため、このような磁気テープカートリッジには、不正な持ち出しを防止できるようにすること、即ちセキュリティー性を向上させることが求められている。
【０００３】
セキュリティー性を有する磁気テープカートリッジとして、セキュリティータグを使用したものは、従来から知られている（例えば、特許文献１参照）。また、金属探知ゲートでの検出を目的として、フレキシブルディスクのケース内面に金属箔よりなるショートコイルを設けるようにしたものが、従来から知られている（例えば、特許文献２参照）。
【先行技術文献】
【特許文献】
【０００４】
【特許文献１】特開２００８−９０９４２号公報
【特許文献２】特開２００７−３５０９９号公報
【発明の概要】
【発明が解決しようとする課題】
【０００５】
しかしながら、セキュリティータグを使用した場合には、その専用ゲートが必要となる上、その専用ゲートに対応したセキュリティータグを設ける必要があるため、システムが高価となる問題がある。一方、金属探知ゲートは、空港の手荷物検査場を始めとして広く普及しているため、セキュリティータグを使用する場合よりもシステムが安価で済む。
【０００６】
しかしながら、フレキシブルディスクのケース内面にショートコイルを設けた場合には、ケース内面を加工する必要があるため、ケース自体の変形を招く懸念がある。更に、ディスク本体の収容エリア内にショートコイルを設けるため、そのショートコイルとの干渉により、ディスク本体が損傷してデータが消失してしまう懸念がある。
【０００７】
以上のことを踏まえると、磁気テープカートリッジの場合には、リールに巻回されている磁気テープに影響を与えなければ、コストアップを抑制する観点から、金属探知ゲートを使用して磁気テープカートリッジの不正な持ち出しを防止するシステムを採用することが望ましい。
【０００８】
しかしながら、磁気テープカートリッジは、上ケースと下ケースとを接合するためのビス（鉄）、磁気テープに含有されている金属（鉄）、リールプレートやコイルバネ等の金属（ステンレス）をケース内に含んでいても、そのケース内に存在する金属の総質量が少ないため、通常の感度とされた金属探知ゲートでは検出されない問題がある。
【０００９】
そこで、本発明は、磁気テープに影響を与えることなく、金属探知ゲートを通過したことが探知される磁気テープカートリッジを得ることを目的とする。
【課題を解決するための手段】
【００１０】
上記の目的を達成するために、本発明に係る磁気テープカートリッジは、磁気テープが巻装され、ドライブ装置に装填されたときに磁力によって吸着保持される金属製のリールプレートを備えた単一のリールを、収容エリア内に収容する略矩形箱状のケースと、ケース内に設けられ、ドライブ装置に装填されないときに磁気テープの自由端部に取り付けられた金属製のリーダーピンをケースに保持するための金属製の板バネと、ケース内に設けられ、ドライブ装置に装填されないときにケースに回転不能に設けられた制動ギアをリールの係合ギアへ噛合させるように付勢する金属製の圧縮コイルバネと、ケース内におけるリールの収容エリア外に配置され、磁気テープ及びリールプレートを備えたリールとリーダーピンと板バネと圧縮コイルバネとを含んでケース内に設けられた金属の総質量に対して、金属の質量の割合が１８％以上とされた金属含有ブロックと、を有している。
【発明の効果】
【００１１】
本発明によれば、磁気テープに影響を与えることなく、金属探知ゲートを磁気テープカートリッジが通過したことを探知することができる。
【図面の簡単な説明】
【００１２】
【図１】磁気テープカートリッジを示す斜視図である。
【図２】第１実施形態に係る磁気テープカートリッジを斜め上方から見て示す分解斜視図である。
【図３】第１実施形態に係る磁気テープカートリッジを斜め下方から見て示す分解斜視図である。
【図４】第１実施形態に係る磁気テープカートリッジの内部構造を示す平面図である。
【図５】第１実施形態に係る磁気テープカートリッジの内部構造を一部拡大して示す平面図である。
【図６】第１実施形態に係る磁気テープカートリッジの内部構造を図５におけるＸ−Ｘ線矢視方向から見て示す断面図である。
【図７】第２実施形態に係る磁気テープカートリッジの内部構造を上方から見て示す斜視図である。
【図８】第２実施形態に係る磁気テープカートリッジの内部構造を示す平面図である。
【発明を実施するための形態】
【００１３】
以下、本発明に係る実施の形態について、図面を基に詳細に説明する。なお、説明の便宜上、図１において、磁気テープカートリッジ１０のドライブ装置への装填方向を矢印Ａで示し、それを磁気テープカートリッジ１０の前方向（前側）とする。そして、矢印Ａと直交する矢印Ｂ方向を磁気テープカートリッジ１０の右方向（右側）とする。また、矢印Ａ方向及び矢印Ｂ方向と直交する方向を矢印Ｃで示し、それを磁気テープカートリッジ１０の上方向（上側）とする。
【００１４】
図１〜図３に示されるように、磁気テープカートリッジ１０は、略矩形箱状のケース１２を有している。このケース１２は、ポリカーボネート（ＰＣ）などの樹脂製の上ケース１４と下ケース１６とが、それぞれ天板１４Ａの周縁に立設された周壁１４Ｂと、底板１６Ａの周縁に立設された周壁１６Ｂと、を互いに当接させた状態で、ビス止めによって接合されて構成されている。
【００１５】
すなわち、上ケース１４及び下ケース１６には、ビスボス１５がそれぞれ各コーナー部近傍に形成されており、下ケース１６の下面側から、そのビスボス１５に鉄製のビス（図示省略）が螺合されることにより、ケース１２が組み立てられるようになっている。なお、上ケース１４の天板１４Ａの左前側には、ドライブ装置（図示省略）への誤挿入を防止するための平面視略三角形状の段差部１３が形成されている。
【００１６】
ケース１２の内部には、リール２０が１つだけ回転可能に収容されている。リール２０は、軸心部を構成する有底円筒状のリールハブ２２と、その下端部に設けられる下フランジ２６と、が一体に成形され、上フランジ２４がリールハブ２２の上端部に超音波溶着されて構成されている。そして、リールハブ２２の外周面に、データ記録再生媒体としての磁気テープＴが巻回され、その巻回された磁気テープＴの幅方向の端部が、上フランジ２４及び下フランジ２６によって保護されている。
【００１７】
また、リールハブ２２の底壁２８の下面には、リールギア４４が環状に形成されており、下ケース１６の中央部には、そのリールギア４４を外部に露出するためのギア開口４０が形成されている。ギア開口４０から露出されるリールギア４４が、ドライブ装置の回転シャフトに形成された駆動ギア（図示省略）に噛合されて回転駆動されることにより、ケース１２内において、リール２０がケース１２に対して相対回転可能とされている。
【００１８】
また、底壁２８の下面におけるリールギア４４の径方向内側には、環状の磁性金属（例えばステンレス）板であるリールプレート４６が、インサート成形によって一体的に固着されている。このリールプレート４６が、ドライブ装置の回転シャフトに設けられた環状のマグネット（図示省略）の磁力によって吸着保持されるようになっている。
【００１９】
更に、上ケース１４及び下ケース１６の内面で、かつギア開口４０と同軸となる円形の軌跡上には、内壁としての遊動規制壁４２がそれぞれ部分的に突設されている。この遊動規制壁４２によって囲まれたエリア内が、リール２０の収容エリア内とされており、リール２０は、遊動規制壁４２によって、がたつかないように保持されている。
【００２０】
また、ケース１２の右壁１２Ｂには、リール２０に巻回された磁気テープＴを引き出すための開口１８が形成されている。そして、開口１８から引き出される磁気テープＴの自由端部には、ドライブ装置の引出部材（図示省略）によって係止されつつ引き出し操作されるリーダー部材としてのリーダーピン３０が固着されている。リーダーピン３０の両端部３４と、リーダーピン３０に固着された磁気テープＴの幅方向両端部との間には、それぞれ環状溝３２が形成されており、この環状溝３２が引出部材のフック等に係止されるようになっている。
【００２１】
また、ケース１２の開口１８の内側、即ち上ケース１４の天板１４Ａの内面及び下ケース１６の底板１６Ａの内面には、ケース１２内においてリーダーピン３０を位置決めして保持する上下一対のピン保持部３６が形成されている。ピン保持部３６は、磁気テープＴの引き出し側が開放された平面視略半円形状とされており、直立状態のリーダーピン３０の両端部３４は、その開放側からピン保持部３６内に出入可能とされている。
【００２２】
また、ピン保持部３６の近傍には、ステンレス製の板バネ３８が配置されるようになっており、板バネ３８の二股状の先端部が、直立状態のリーダーピン３０の両端部３４にそれぞれ係合して、そのリーダーピン３０をピン保持部３６に保持するようになっている。なお、リーダーピン３０がピン保持部３６に出入する際には、板バネ３８の先端部が適宜弾性変形してリーダーピン３０の移動を許容するようになっている。
【００２３】
また、ケース１２の開口１８は、ドア５０によって開閉されるようになっている。ドア５０は、開口１８を閉塞可能な大きさの略矩形板状に形成されており、ケース１２の右壁１２Ｂに沿って移動できるように、開口１８の内側の天板１４Ａ及び底板１６Ａには、それぞれドア５０の上下端部を摺動可能に嵌入させる溝部６４が形成されている。
【００２４】
また、ドア５０の後端部中央には、シャフト５２が突設されており、そのシャフト５２には、ステンレス製のコイルバネ５８が挿嵌されている。そして、シャフト５２の後端には、コイルバネ５８を脱落防止とする拡開部５４が形成されている。また、下ケース１６には、シャフト５２に挿嵌されたコイルバネ５８の後端を係止する係止部６２を有する支持台６０が突設されている。
【００２５】
したがって、ドア５０は、シャフト５２が支持台６０上に摺動自在に支持されるとともに、コイルバネ５８の後端が係止部６２に係止されることにより、そのコイルバネ５８の付勢力によって、常に開口１８の閉塞方向へ付勢される構成になっている。なお、開口１８の開放時、シャフト５２を支持する支持台６６を支持台６０の後方側に更に突設しておくことが望ましい。
【００２６】
また、ドア５０の前端部には、開閉操作用の凸部５６が外方に向かって突設されている。この凸部５６が、磁気テープカートリッジ１０のドライブ装置への装填に伴い、そのドライブ装置側の係合部材（図示省略）と係合するようになっている。これにより、ドア５０がコイルバネ５８の付勢力に抗して開放される構成になっている。
【００２７】
また、図２、図３に示されるように、ケース１２の左後部には、磁気テープＴへの記録可・不可が設定される誤消去防止部材としてのライトプロテクト７０が左右方向にスライド可能に設けられている。ライトプロテクト７０は、左右方向にスライドする摺動部品であるため、摺動性に優れたポリアセタール（ＰＯＭ）で成形されている。
【００２８】
ケース１２の後壁１２Ｄには、ライトプロテクト７０を手指で操作するための操作突起７２を突出させる開孔６８が形成されている。この開孔６８は、上ケース１４と下ケース１６とを接合したときに、上ケース１４の周壁１４Ｂに形成された切欠部６８Ａと、下ケース１６の周壁１６Ｂに形成された切欠部６８Ｂと、によって形成される構成になっている。
【００２９】
更に、下ケース１６の底板１６Ａには、ライトプロテクト７０の突部７４が露出される長孔６９が左右方向に長く形成されており、磁気テープカートリッジ１０がドライブ装置に装填されたときに、そのドライブ装置側でライトプロテクト７０の位置を検知して、磁気テープＴへの記録可・不可が自動的に判断されるようになっている。なお、この突部７４は下ケース１６の底板１６Ａの下面から突出することはない。
【００３０】
また、図２に示されるように、ケース１２の右後部（角部）には、磁気テープカートリッジ１０の記録容量や記録形式等の各種情報が記憶されたメモリーボードＭが所定の傾斜角度で配置されるようになっている。メモリーボードＭは、外部と通信可能な通信部材であり、外部に設けられた通信機器により、上記した各種情報が読み取られたり、新たな情報が書き込まれたりするようになっている。なお、メモリーボードＭに対する通信距離は３０ｍｍ程度となっている。
【００３１】
また、図２、図３に示されるように、リールハブ２２の底壁２８の上面周縁には、係合ギア４８が所定の間隙を隔てて（等間隔に）複数（例えば１２０°間隔で３個）立設されており、その係合ギア４８の間で、リールギア４４上となる所定位置には、貫通孔２８Ａが複数（この場合は１２０°間隔で３個）形成されている。そして、リールハブ２２の径方向内側には、樹脂材で成形された円板状の制動部材８０が設けられている。
【００３２】
制動部材８０の下面８０Ａの周縁には、係合ギア４８と噛合可能な制動ギア８４が環状に形成されており、制動部材８０の上面には、上ケース１４の天板１４Ａの内面から下方へ向かって突設された平面視略十字状の回転規制リブ７６が内部に挿入される平面視略十字状の係合突起８６が、その回転規制リブ７６の高さよりも若干高くなる高さで立設されている。これにより、制動部材８０は、ケース１２（上ケース１４）に対して回転不能とされるとともに、リールハブ２２の径方向内側で上下方向に移動可能とされている。
【００３３】
また、上ケース１４と制動部材８０との間には、ステンレス製の圧縮コイルバネ９８が配設されている。すなわち、圧縮コイルバネ９８は、一端が上ケース１４の回転規制リブ７６の外側に突設された環状突起７８の内側（回転規制リブ７６と環状突起７８との間）に当接し、他端が制動部材８０の上面に設けられた環状溝８８の径方向内側に当接した状態に配設されている。この圧縮コイルバネ９８の付勢力により、制動部材８０は、常に下方に向かって付勢されている。
【００３４】
したがって、磁気テープカートリッジ１０は、ドライブ装置に装填されない不使用時には、制動ギア８４が係合ギア４８と常に噛合する状態とされており、リール２０のケース１２に対する相対回転が阻止された回転ロック状態とされている。なお、この回転ロック状態のとき、リール２０は、圧縮コイルバネ９８の付勢力によって下ケース１６側に押し付けられ、リールギア４４をギア開口４０から露出させるようになっている。
【００３５】
また、リールハブ２２の径方向内側で、かつ制動部材８０の下側（底壁２８と制動部材８０との間）には、樹脂材で成形された平面視略正三角形状の解除部材９０が設けられている。解除部材９０には、所定の形状とされた貫通孔９２が適宜位置に複数形成されており、解除部材９０の軽量化が図られている。そして、解除部材９０の下面で、かつ各頂点部分には、貫通孔２８Ａに挿通されて底壁２８の下面からリールギア４４上に所定高さ突出する脚部９４が突設されている。
【００３６】
また、解除部材９０の上面９０Ａの中央には、平面状の支持凸部９６が形成されており、制動部材８０の下面８０Ａの中央に突設された略半球状の解除突起８２が当接するようになっている。これにより、制動部材８０と解除部材９０との接触面積が低減され、ドライブ装置に装填された使用時（リール２０の回転時）における摺動抵抗が軽減されるようになっている。
【００３７】
また、下ケース１６の底板１６Ａの下面における前壁１２Ａ側には、磁気テープカートリッジ１０がドライブ装置に装填されたときに、そのドライブ装置に設けられた位置決め部材（図示省略）が挿入される位置決め用の穴部１０２、１０４が左右方向に離隔して形成されている（図３参照）。右側の穴部１０２は、略円形状に形成され、左側の穴部１０４は、左右方向に長い略楕円形状に形成されている。
【００３８】
これにより、磁気テープカートリッジ１０がドライブ装置に左右方向に多少ずれて装填されても、その位置決め部材が確実に挿入される構成であり、その位置ずれが矯正される構成になっている。そして、下ケース１６の底板１６Ａの内面には、その穴部１０２、１０４を構成するボスとしての袋部１０３、１０５が、上ケース１４側へ突出する凸形状（突起形状）に形成されている（図２参照）。
【００３９】
また、下ケース１６の穴部１０４（袋部１０５）の前方側における前壁１２Ａ（周壁１６Ｂ）には、底面視略「Ｖ」字状の凹部１０６が形成されている（図１〜図３参照）。この凹部１０６は、磁気テープカートリッジ１０がドライブ装置に装填されたときに、そのドライブ装置に設けられた位置規制部材（図示省略）が係合するようになっており、これによって、磁気テープカートリッジ１０の装填方向の位置が位置決めされるようになっている。
【００４０】
そして、その前壁１２Ａ（周壁１６Ｂ）の内面には、凹部１０６を構成したことによって後方へ向かって張り出された平面視略三角形状の張出壁部１０７が形成されている（図２参照）。また、この張出壁部１０７の左側面から左斜め後方に向かってリブ１０８が一体に延設されており、そのリブ１０８は、下ケース１６の左壁１２Ｃ（周壁１６Ｂ）に一体に連設されている（図４、図５も参照）。
【００４１】
＜第１実施形態＞
以上のような構成とされた磁気テープカートリッジ１０において、次にケース１２内に設けられたセキュリティー機能の第１実施形態について、図２〜図６を基に説明する。すなわち、所定のセキュリティーエリアから磁気テープカートリッジ１０が持ち出されるのを防止するために（金属探知ゲートによって探知されるようにするために）、ケース１２内に設けられた金属含有ブロック１１０について説明する。
【００４２】
金属含有ブロック１１０は、合金を含む金属ブロックとされており、その金属は、鉄系金属、鉄コバルト合金、ステンレス又はニッケルとされている。そして、この金属含有ブロック１１０は、円柱状に形成されており、図２〜図６に示されるように、軸方向が上下方向とされて、ケース１２内のメモリーボードＭが配置された右後部（角部）と対角となる左前部（角部）に配置されている。
【００４３】
詳細に説明すると、下ケース１６の底板１６Ａと、リブ１０８と、張出壁部１０７と、袋部１０５と、上ケース１４の天板１４Ａにおける段差部１３と、で囲まれた空間が、ケース１２内におけるリール２０の収容エリア外となる設置スペース１００とされている。そして、その設置スペース１００内に金属含有ブロック１１０が配置され、動かないように位置決めされて保持されている。
【００４４】
つまり、下ケース１６の底板１６Ａと、リブ１０８と、張出壁部１０７と、袋部１０５と、上ケース１４の天板１４Ａにおける段差部１３と、が金属含有ブロック１１０に接触し、その金属含有ブロック１１０を保持する保持部とされている。より具体的には、下ケース１６の底板１６Ａの内面と上ケース１４の天板１４Ａにおける段差部１３の内面とで金属含有ブロック１１０の下面及び上面が保持され、リブ１０８の内側面と張出壁部１０７の側面と袋部１０５の側面とで金属含有ブロック１１０の外周面が保持されている。
【００４５】
また、金属含有ブロック１１０における金属の質量の割合は、磁気テープＴ及びリールプレート４６を備えたリール２０を含んでケース１２内に設けられた磁気テープカートリッジ１０における金属の総質量に対して、１８％以上とされている。これにより、通常の感度とされた金属探知ゲート（図示省略）を磁気テープカートリッジ１０が通過したときに、そのケース１２内に存在する金属が探知される構成になっている。
【００４６】
具体的に説明すると、この磁気テープカートリッジ１０では、上ケース１４と下ケース１６とを接合するためのビス（鉄）及び磁気テープＴに含有される金属（鉄）と、リールプレート４６、板バネ３８、コイルバネ５８及び圧縮コイルバネ９８等の金属（ステンレス）との総質量が３３．８ｇである。また、設置スペース１００に配置できる円柱状の金属含有ブロック１１０の金属の質量は６．２ｇである。
【００４７】
ここで、金属の質量が６．０ｇの金属含有ブロックでは、通常の感度とされた金属探知ゲートによる金属探知効果が低かったが、金属の質量が６．２ｇの金属含有ブロック１１０では、通常の感度とされた金属探知ゲートによる金属探知効果が高かった。６．０ｇは３３．８ｇの約１７．７５％であり、６．２ｇは３３．８ｇの約１８．３４％である。したがって、上記の通り、「１８％以上」としている。
【００４８】
なお、この磁気テープカートリッジ１０では、金属の質量が６．２ｇの金属含有ブロック１１０を設置スペース１００に配置することが、費用対効果の点で最も望ましい。つまり、金属の質量が６．２ｇより大となる金属含有ブロックでは、その形状が複雑になるため、製造コストが増加する。
【００４９】
また、金属探知ゲートの原理は電磁誘導である。金属探知ゲート付近に金属が接近すると、電磁誘導により金属に渦電流が発生する。この渦電流による磁場の変化を検出することにより、金属の存在を探知する。なお、電磁誘導のし易さは、物質の透磁率と比例する。透磁率は、上記した鉄系金属、鉄コバルト合金、ステンレス又はニッケルなどの磁性金属が高く、これらの金属であると、金属探知がし易い。
【００５０】
以上のような構成とされた金属含有ブロック１１０を備えた磁気テープカートリッジ１０において、次にその作用について説明する。
【００５１】
金属含有ブロック１１０を内蔵した磁気テープカートリッジ１０が、セキュリティーエリアの出入口に対向配置された金属探知ゲートを通過すると、ケース１２内に存在する、金属含有ブロック１１０を含む金属が探知される。つまり、磁気テープカートリッジ１０がセキュリティーエリアから持ち出されようとしていることが探知される。したがって、この探知により、セキュリティーエリア（金属探知ゲート）から警報音等が発生するシステムとすれば、磁気テープカートリッジ１０の不正な持ち出しを心理的に防止することができる。
【００５２】
このように、金属含有ブロック１１０をケース１２内に追加することにより、金属探知ゲートによる探知精度を向上させることができるため、金属探知が可能となる磁気テープカートリッジ１０の品質を安定させることができる。つまり、金属含有ブロック１１０をケース１２内に設けるだけで、セキュリティーエリアからの盗難防止用として高性能なセキュリティー機能が付加された磁気テープカートリッジ１０を簡単かつ安価に得ることができる。
【００５３】
しかも、金属探知ゲートで検出させるために追加する金属含有ブロック１１０は、磁気テープカートリッジ１０の機構部品とは別体の専用部品とされているため、磁気テープカートリッジ１０の機構部品の品質を低下させることがない。具体的には、金属含有ブロック１１０は、リール２０の収容エリア外で、かつメモリーボードＭから最も離れた設置スペース１００に配置されているため、磁気テープＴに対して影響を与えることがなく、かつメモリーボードＭの通信性能を劣化させることがない。
【００５４】
また、金属含有ブロック１１０は、円柱状に形成されているため、加工がし易く（一様な単一素材の丸棒を切断するだけでよく）、コストアップを抑制することができる。そして、この円柱状の金属含有ブロック１１０は、ケース１２において、磁気テープカートリッジ１０の機能上で重要な形状であるために寸法が安定した部位に位置決めされて保持されている。
【００５５】
具体的には、この金属含有ブロック１１０は、下ケース１６の底板１６Ａと、リブ１０８と、張出壁部１０７と、袋部１０５と、上ケース１４の天板１４Ａにおける段差部１３と、に接触した状態で保持されている。したがって、金属含有ブロック１１０を、図示しないホルダー等を用いて位置決めして保持する構成に比べて、部品点数の増加によるコストアップを防止することができるとともに、組立工数の増加による生産効率の低下を防止することができる。
【００５６】
このように、金属含有ブロック１１０を設ける部位が設置スペース１００であると、その金属含有ブロック１１０を低コストで安定させ易く、かつケース１２内への金属含有ブロック１１０の組込性に優れるため、磁気テープカートリッジ１０の全体の組立性を向上させることができる（磁気テープカートリッジ１０の自動組立適性を確保することができる）。
【００５７】
また、金属含有ブロック１１０を設置スペース１００という定位置に動かないように設置することで、磁気テープカートリッジ１０の重心位置を安定させることができるため、磁気テープカートリッジ１０のハンドリング時において、落下防止に繋げることができる（磁気テープカートリッジ１０のハンドリング適性を確保することができる）。
【００５８】
＜第２実施形態＞
次に、ケース１２内に設けられたセキュリティー機能の第２実施形態について、図７、図８を基に説明する。なお、第１実施形態と同等の部位には同じ符号を付して詳細な説明（共通する作用も含む）は適宜省略する。
【００５９】
第２実施形態における金属含有ブロック１１０は、金属ブロックではなく、鉄系金属、鉄コバルト合金、ステンレス又はニッケルからなる金属微粒子を含有した樹脂を材料として形成された樹脂ブロックとされている。そして、この金属含有ブロック１１０は、上記第１実施形態と同様に、ケース１２内のメモリーボードＭが配置された右後部（角部）と対角となる左前部（角部）に配置され、動かないように位置決めされて保持されている。
【００６０】
詳細に説明すると、この金属含有ブロック１１０の形状は、平面視で下ケース１６の左前側の収容エリア外の形状と同一とされており、リブ１０８と張出壁部１０７と袋部１０５とにそれぞれ嵌め合わされる切欠部１１２と、ビスボス１５を挿入させる貫通孔１１４と、を有して形成されている。
【００６１】
つまり、切欠部１１２は、リブ１０８と張出壁部１０７と袋部１０５とに合致する形状に形成され、貫通孔１１４は、ビスボス１５の外径と同じ内径を有する円形状に形成されている。したがって、金属含有ブロック１１０は、任意の形状へ安価に成形できる射出成形によって形成されているが、切削加工によって切欠部１１２や貫通孔１１４を形成するようにしてもよいし、３Ｄプリンターによって形成するようにしてもよい。
【００６２】
また、金属含有ブロック１１０の厚さ（高さ）は、下ケース１６の底板１６Ａの内面と上ケース１４の天板１４Ａにおける段差部１３の内面との上下方向の間隔と同一とされている。これにより、金属含有ブロック１１０の下面及び上面が、それぞれ下ケース１６の底板１６Ａの内面と上ケース１４の天板１４Ａにおける段差部１３の内面とで保持される構成になっている。
【００６３】
このように、金属含有ブロック１１０が樹脂製とされていると、磁気テープカートリッジ１０の全体の質量増加を抑制することができるとともに、金属含有ブロック１１０に錆が発生するのを防止することができる。なお、金属含有ブロック１１０に使用される樹脂材としては、例えばポリアセタール（ＰＯＭ）、ポリプロピレン（ＰＰ）、ポリカーボネート（ＰＣ）、ポリアミド（ＰＡ）、ポリエチレン（ＰＥ）などの汎用プラスチックやエンジニアリングプラスチックが挙げられる。
【００６４】
また、金属含有ブロック１１０における金属の質量の割合は、磁気テープＴ及びリールプレート４６を備えたリール２０を含んでケース１２内に設けられた磁気テープカートリッジ１０における金属の総質量に対して、１８％以上とされている。これにより、通常の感度とされた金属探知ゲート（図示省略）を磁気テープカートリッジ１０が通過したときに、上記第１実施形態と同様に、ケース１２内に存在する金属が探知される構成になっている。
【００６５】
また、金属含有ブロック１１０の他に、鉄系金属、鉄コバルト合金、ステンレス又はニッケルからなる金属微粒子を含有した樹脂材でライトプロテクト７０を射出成形してもよい。例えば制動部材８０や解除部材９０やドア５０では、摺動する機会が多いため、金属微粒子を含有した樹脂材で成形すると、磁気テープカートリッジ１０の機能への影響が懸念される。すなわち、その摺動により発生する摩耗粉がドライブ装置やケース１２内で悪影響を与える懸念がある。
【００６６】
しかしながら、ライトプロテクト７０は、使用頻度が少なく、トラブルになり難い。したがって、ライトプロテクト７０に金属微粒子を含有させることにより、磁気テープカートリッジ１０の機能に影響を与えることなく、ケース１２内に存在させる金属を増加させることができ、金属探知ゲートによる探知精度を向上させることができる。また、既存のライトプロテクト７０を利用するため、部品点数の増加を防止することができ、それに伴うコストアップも抑制することができる。
【００６７】
更に、ライトプロテクト７０は、その一部を外部に露出させているが、ケース１２から簡単に取り出せない構造とされている。そのため、ライトプロテクト７０に、金属微粒子が含有されていることを外部から視認できる構成にすることで、セキュリティーエリアからの不正な持ち出しを更に心理的に防止することができる。なお、金属含有ブロック１１０とライトプロテクト７０とで、上記１８％以上となるように構成してもよい。また、第１実施形態におけるライトプロテクト７０に金属微粒子を含有させてもよい。
【００６８】
以上、本実施形態に係る磁気テープカートリッジ１０について図面を基に説明したが、本実施形態に係る磁気テープカートリッジ１０は、図示のものに限定されるものではなく、本発明の要旨を逸脱しない範囲内において適宜設計変更可能なものである。例えば、第１実施形態において、下ケース１６の底板１６Ａの内面に金属含有ブロック１１０の下部を嵌合させる凹部（図示省略）を形成し、その凹部も金属含有ブロック１１０の保持部として機能させる構成にしてもよい。
【００６９】
また、第１実施形態に係る金属含有ブロック１１０は、円柱状に形成されているが、これに限定されるものではなく、設置スペース１００に保持された状態で設けることができる形状に形成されていれば、例えば底面が真円ではない略円柱状や角柱状、円筒状等に形成されていてもよい。同様に、第２実施形態に係る金属含有ブロック１１０も、図示の形状に限定されるものではない。
【００７０】
更に、金属含有ブロック１１０が設けられる磁気テープカートリッジ１０も、図示のものに限定されるものではない。リーダー部材としてリーダーテープやリーダーブロックが用いられる磁気テープカートリッジ（図示省略）や、リール２０の回転をロックするロック機構とそれを解除する解除機構とが図示のものとは異なる機構とされた磁気テープカートリッジ（図示省略）に、第１実施形態や第２実施形態と同様にして、金属含有ブロック１１０を設けるようにしてもよい。
【符号の説明】
【００７１】
１０  磁気テープカートリッジ
１２  ケース
１３  段差部（保持部）
２０  リール
４６  リールプレート
７０  ライトプロテクト（誤消去防止部材）
１０５  袋部（保持部）
１０７  張出壁部（保持部）
１０８  リブ（保持部）
１１０  金属含有ブロック
Ｍ  メモリーボード（通信部材）
Ｔ  磁気テープ
【図１】
0006534359.tif 000002
【図２】
0006534359.tif 000003
【図３】
0006534359.tif 000004
【図４】
0006534359.tif 000005
【図５】
0006534359.tif 000006
【図６】
0006534359.tif 000007
【図７】
0006534359.tif 000008
【図８】
0006534359.tif 000009